(57)【要約】  【課題】通信装置のスリープ状態とアクティブ状態の変更頻度を、通信装置の省電力化とネットワーク側の負荷軽減の観点で最適化することができる通信装置を提供することを目的とする。  【解決手段】通信制御部２０５は、検出部２０１により入出庫が検出されてから所定期間、検出部２０１によりさらに入出庫が検出されなかったとき、通信部２０２をスリープ状態にする。このように、ＧＷ装置２００は、入出庫を検出してから所定期間経ってもさらに入出庫がなされないような、駐車場管理サーバ１００と通信する必要性が低いとき、通信部２０２をスリープ状態にさせることができる。よって、ＧＷ装置２００は、常時アクティブ状態とする場合と比較して、省電力運用ができると共に、入出庫の頻度が高いタイミングで、スリープ状態にしてしまうことを回避することができる。【選択図】  図２
2018112813.tif 000002
【特許請求の範囲】
【請求項１】
バッテリにより駆動する通信装置であって、
駐車場への入出庫を検出する検出部と、
ネットワークを介してサーバ装置へ、前記検出部による検出結果を送信する通信部と、
前記検出部により入出庫が検出されてから所定期間、前記検出部によりさらに入出庫が検出されなかったとき、前記通信部をスリープ状態にする通信制御部と、
を備える通信装置。
【請求項２】
時間毎の入出庫の履歴を示す履歴情報を取得する履歴取得部をさらに備え、
前記通信制御部は、前記履歴取得部により取得された履歴情報に基づいて、前記所定期間を決定する、請求項１に記載の通信装置。
【請求項３】
バッテリにより駆動する通信装置であって、
駐車場への入出庫を検出する検出部と、
ネットワークを介してサーバ装置へ、前記検出部による検出結果を送信する通信部と、
時間毎の入出庫の履歴を示す履歴情報を取得する履歴取得部と、
前記検出部により入出庫が検出された場合、前記履歴取得部により取得された履歴情報から特定した時間帯別の入出庫度合いに基づいて、前記通信部をスリープ状態にする通信制御部と、
を備える通信装置。
【請求項４】
バッテリにより駆動する通信装置であって、
駐車場への入出庫を検出する検出部と、
ネットワークを介してサーバ装置へ、前記検出部による検出結果を送信する通信部と、
駐車予約の有無を特定する予約特定部と、
前記検出部により入出庫が検出された場合、前記予約特定部により特定された駐車予約の有無に基づいて、前記通信部をスリープ状態にする通信制御部と、
を備える通信装置。
【請求項５】
前記通信制御部は、前記通信部をスリープ状態にしているときに、前記検出部により入出庫が検出された場合、前記通信部をアクティブ状態にする、請求項１〜４の何れか一項に記載の通信装置。
【発明の詳細な説明】
【技術分野】
【０００１】
本発明は、バッテリ駆動する通信装置に関する。
【背景技術】
【０００２】
従来から、駐車場を管理するシステムとして、駐車場管理センタと、駐車場周辺に設置される駐車料金精算機とを含むシステムがある。例えば、駐車料金精算機は、駐車場の駐車料金を精算し、広域通信回線網およびインターネットを介して駐車場管理センタに対して、駐車料金に関するデータを送信する（例えば、特許文献１参照）。このように、各駐車料金精算機と駐車場管理センタとの間でデータ通信を行うことができる。
【先行技術文献】
【特許文献】
【０００３】
【特許文献１】特開２００９−２３８１３３号公報
【発明の概要】
【発明が解決しようとする課題】
【０００４】
ところで、駐車場周辺にバッテリにより駆動する通信装置が設置され、当該通信装置が駐車場管理センタとネットワークを介してデータ通信することが考えられる。この通信装置は、例えば、車両の入庫・出庫を示す情報を駐車場管理センタへ送信したり、駐車場管理センタから駐車場の予約を示す情報を取得したりする。この場合、駐車場における車両の入庫・出庫が常時行われるわけではないので、通信装置が駐車場管理センタと常時アクティブ状態であると、頻繁に通信することになる。これにより、入出庫が行われていない無通信時間帯においても、通信装置の電源が入っているため、無駄に電力を消費することになる。この結果、通信装置のバッテリ交換の頻度が上がってしまう。なお、電力消費を軽減させるために、通信装置を長期間スリープ状態にして、車両の入出庫が発生した場合に、駐車場管理センタへ当該入出庫についての情報を送信するためにアクティブ状態にすることが考えられる。しかし、頻繁に入出庫が発生すると、スリープ状態とアクティブ状態との間の変更が頻繁に発生することになり(すなわち、デタッチ及びアタッチを繰り返すことになり)、当該変更によるネットワーク側の負荷が高まってしまうので、好ましくない。
【０００５】
本発明は、上記に鑑みてなされたものであり、通信装置のスリープ状態とアクティブ状態の変更頻度を、通信装置の省電力化とネットワーク側の負荷軽減の観点で最適化することができる通信装置を提供することを目的とする。
【課題を解決するための手段】
【０００６】
上述の課題を解決するために、本発明の通信装置は、バッテリにより駆動する通信装置であって、駐車場への入出庫を検出する検出部と、ネットワークを介してサーバ装置へ、検出部による検出結果を送信する通信部と、検出部により入出庫が検出されてから所定期間、検出部によりさらに入出庫が検出されなかったとき、通信部をスリープ状態にする通信制御部と、を備える。
【０００７】
この発明によれば、通信装置は、入出庫を検出してから所定期間経ってもさらに入出庫がなされないような、サーバ装置と通信する必要性が低いときに、通信部をスリープ状態にさせることができる。よって、通信装置は、常時アクティブ状態とする場合と比較して、省電力運用ができると共に、入出庫の頻度が高いタイミングで、スリープ状態にしてしまうことを回避することができる。すなわち、通信装置は、通信装置のスリープ状態とアクティブ状態の変更頻度を、通信装置の省電力化とネットワーク側の負荷軽減の観点で最適化することができる。
【０００８】
また、本発明の別の観点の通信装置は、バッテリにより駆動する通信装置であって、駐車場への入出庫を検出する検出部と、ネットワークを介してサーバ装置へ、検出部による検出結果を送信する通信部と、時間毎の入出庫の履歴を示す履歴情報を取得する履歴取得部と、検出部により入出庫が検出された場合、履歴取得部により取得された履歴情報から特定した時間帯別の入出庫度合いに基づいて、通信部をスリープ状態にする通信制御部と、を備える。
【０００９】
この発明によれば、通信装置は、入出庫を検出した後に、履歴情報に基づいて入出庫の発生する可能性が低い時間帯に通信部をスリープ状態にさせることができる。よって、通信装置は、常時アクティブ状態とする場合と比較して、省電力運用ができると共に、入出庫の頻度が高いタイミングで、スリープ状態にしてしまうことを回避することができる。すなわち、通信装置は、通信装置のスリープ状態とアクティブ状態の変更頻度を、通信装置の省電力化とネットワーク側の負荷軽減の観点で最適化することができる。
【００１０】
また、本発明の別の観点の通信装置は、バッテリにより駆動する通信装置であって、駐車場への入出庫を検出する検出部と、ネットワークを介してサーバ装置へ検出部による検出結果を送信する通信部と、駐車予約の有無を特定する予約特定部と、検出部により入出庫が検出された場合、予約特定部により特定された駐車予約の有無に基づいて、通信部をスリープ状態にする通信制御部と、を備える。
【００１１】
この発明によれば、通信装置は、入出庫を検出した際に、予約が発生していないような、サーバ装置と通信する必要性が低いときに、通信部をスリープ状態にさせることができる。よって、通信装置は、常時アクティブ状態とする場合と比較して、省電力運用ができると共に、入出庫の頻度が高いタイミングで、スリープ状態にしてしまうことを回避することができる。すなわち、通信装置は、通信装置のスリープ状態とアクティブ状態の変更頻度を、通信装置の省電力化とネットワーク側の負荷軽減の観点で最適化することができる。
【発明の効果】
【００１２】
本発明によれば、通信装置のスリープ状態とアクティブ状態の変更頻度を、通信装置の省電力化とネットワーク側の負荷軽減の観点で最適化することができる。
【図面の簡単な説明】
【００１３】
【図１】本実施形態の駐車場管理システムのシステム構成図である。
【図２】ＧＷ装置２００の機能構成を示すブロック図である。
【図３】ＧＷ装置２００のハードウェア構成図である。
【図４】入出庫状態により通信部を制御するフローチャートである。
【図５】予約状況により通信部を制御するフローチャートである。
【図６】履歴情報により通信部を制御するフローチャートである。
【発明を実施するための形態】
【００１４】
以下、図面と共に本発明に係る翻訳システムの実施形態について詳細に説明する。なお、図面の説明においては同一要素には同一符号を付し、重複する説明を省略する。
【００１５】
図１は、本実施形態の駐車場管理サーバ１００（サーバ装置）、ＧＷ（Gate Way）装置２００（通信装置）およびセンサ装置３００から構成される駐車場管理システムのシステム構成を示すシステム構成図である。
【００１６】
この駐車場管理システムは、事前に登録された利用者の携帯端末（図示せず）と通信接続することができ、この携帯端末から予約を受け付けることができる。この予約時には、駐車管理システムの駐車場管理サーバ１００は、予約を示す情報（予約情報）として、携帯端末を特定する情報、予約日時、駐車場所を示す情報を携帯端末から取得する。また、駐車場管理システムは、駐車場に車両が入庫又は出庫したことを検出し、当該検出した結果を記憶する。
【００１７】
駐車場管理サーバ１００は、携帯端末から予約を受け付けて、当該予約の予約情報をＧＷ装置２００へ送信する。また、駐車場管理サーバ１００は、駐車場に配置されるセンサ装置３００による車両の入庫又は出庫の検出結果をＧＷ装置２００から受信する。駐車場管理サーバ１００は、ＧＷ装置２００から受信した検出結果を記憶する。また、駐車場管理サーバ１００は、記憶した検出結果を用いて、時間帯毎の各駐車場の入出庫の頻度を算出する。駐車場管理サーバ１００は、算出した時間帯毎の入出庫の頻度を示す情報を履歴情報として、ＧＷ装置２００へ送信する。なお、駐車場管理サーバ１００は、時間帯毎の各駐車場の入出庫の頻度だけでなく、各車両の駐車平均時間を時間帯毎に算出してもよい。また、当該時間帯毎の駐車平均時間も履歴情報としてさらに含めてもよい。
【００１８】
ＧＷ装置２００は、バッテリにより駆動する通信装置であり、センサ装置３００から取得した情報を駐車場管理サーバ１００へ送信したり、駐車場管理サーバ１００から履歴情報及び予約情報を受信したりする。
【００１９】
センサ装置３００は、駐車場に配置されている、車両の駐車の有無を検出するための装置である。例えばループコイルなどで構成されている。このセンサ装置３００は、車室（駐車スペース）ごとにその車室の番号を示す車室ＩＤが割り当てられている。このセンサ装置３００は、車室に駐車された車両を検知すると、ＧＷ装置２００を介して、駐車場管理サーバ１００に駐車有りの通知（車室ＩＤを含む）を行なうことができる。
【００２０】
続いて、ＧＷ装置２００について、図２に示すブロック図を用いて詳細に説明する。ＧＷ装置２００は、検出部２０１と、通信部２０２と、履歴取得部２０３と、予約特定部２０４と、通信制御部２０５と、バッテリ２０６と、を含んで構成される。
【００２１】
検出部２０１は、駐車場への入出庫を検出する部分である。具体的に、検出部２０１は、近距離無線通信（例えば、Ｚｉｇｂｅｅ（登録商標））により、センサ装置３００から車室ＩＤ及び出庫又は入庫を示す情報を取得する。このように、検出部２０１は、センサ装置３００から取得した情報を参照することにより、出庫又は入庫を検出する。検出部２０１は、センサ装置３００から取得した情報を通信部２０２へ送出し、当該通信部２０２が当該情報を駐車場管理サーバ１００へ送信する。また、検出部２０１は、当該情報を通信制御部２０５へも送出する。
【００２２】
通信部２０２は、駐車場管理サーバ１００と通信する部分である。具体的には、通信部２０２は、検出部２０１から取得した情報（検出結果）をネットワークを介して駐車場管理サーバ１００へ送信する。また、通信部２０２は、駐車場管理サーバ１００から予約情報を取得したり、履歴情報を取得したりする。通信部２０２は、予約を示す情報を取得した場合、予約特定部２０４へ送出する。また、通信部２０２は、履歴情報を取得した場合、履歴取得部２０３へ送出する。
【００２３】
また、通信部２０２は、通信制御部２０５からスリープ指示を受けると、スリープ状態になり、アクティブ指示を受けるとアクティブ状態になる。ここで、スリープ状態とは、データを受信することができない状態であり、消費電力が小さい状態である。また、アクティブ状態とは、データを送受信することができる状態であり、例えば、通信部２０２が間欠的にページング信号を受信できる状態である。
【００２４】
履歴取得部２０３は、通信部２０２を介して駐車場管理サーバ１００から履歴情報を取得する部分である。履歴取得部２０３は、通信部２０２から履歴情報を取得し、当該履歴情報を記憶する。
【００２５】
予約特定部２０４は、駐車予約の有無を特定する部分である。予約特定部２０４は、通信部２０２を介して駐車場管理サーバ１００から予約情報を取得し、当該予約情報を記憶する。予約特定部２０４は、通信制御部２０５から予約有無の特定要求を受け付けると、記憶している情報を参照し、当該特定要求から予め定められている時間内（例えば、１時間以内）に予約が存在していない場合、通信制御部２０５へ予約が存在しない旨を通知する。また、予約特定部２０４は、特定要求から予め定められている時間内に予約が存在している場合、通信制御部２０５へ予約が存在する旨を通知する。
【００２６】
通信制御部２０５は、通信部２０２を制御する部分であり、入出庫の有無等により、通信部２０２をスリープ状態にしたり、アクティブ状態にしたりする。通信制御部２０５が、通信部２０２を制御する方法として、「直近の利用状態により制御する方法」と、「過去の利用実績により制御する方法」と、「予約状況により制御する方法」とがある。
【００２７】
まず、「直近の利用状態により制御する方法」を説明する。前提として、所定期間入出庫が無い状態である等により、通信部２０２がスリープ状態であるものとする。この状態において、検出部２０１から駐車していた車両が出庫した旨を取得する。このときに、通信制御部２０５は、通信部２０２へアクティブ指示をすることにより、通信部２０２をアクティブ状態に変更させて、通信部２０２に当該出庫した旨の情報を駐車場管理サーバ１００へ送信させる。通信制御部２０５は、アクティブ状態に変更させてから所定期間経過するまで検出部２０１から入出庫した旨の情報を取得しなかった場合、通信制御部２０５は、通信部２０２へスリープ指示をすることにより通信部２０２をスリープ状態にする。すなわち、通信制御部２０５は、検出部２０１により入出庫が検出されてから所定期間、検出部２０１によりさらに入出庫が検出されなかったとき、通信部２０２をスリープ状態にする。
【００２８】
なお、通信制御部２０５は、履歴取得部２０３が記憶している履歴情報に基づいて、上記所定期間を決定してもよい。通信制御部２０５は、履歴取得部２０３で記憶されている履歴情報を参照して、過去に入出庫が少ない時間帯であれば（例えば、入出庫が予め定められている頻度閾値以下の時間帯である場合）、上記所定期間を、過去に入出庫が多い時間帯（入出庫が頻度閾値より多い時間帯）と比較して短くする。この結果、過去に入出庫が少ない時間帯である場合、より早くスリープ状態にすることになる。また、通信制御部２０５は、検出部２０１により入出庫が検出されてから所定期間、検出部２０１によりさらに入出庫が検出されなかったとき、履歴情報に基づいて、スリープ状態にする期間を決めるようにしてもよい。例えば、通信制御部２０５は、過去に入出庫が少ない時間帯であれば、過去に入出庫が多い時間帯よりスリープ状態にする期間を長くする。
【００２９】
続いて、「予約状況により制御する方法」について説明する。前提として、通信部２０２がスリープ状態であるものとする。この状態において、検出部２０１から駐車していた車両が出庫した旨を取得する。このときに、通信制御部２０５は、通信部２０２をアクティブ状態に変更させて、通信部２０２に当該出庫した旨の情報を駐車場管理サーバ１００へ送信させる。この後、通信制御部２０５は、予約特定部２０４へ予約特定要求をする。通信制御部２０５は、予約特定部２０４から予約が存在しない旨の通知を受信した場合、通信部２０２をスリープ状態にする。すなわち、通信制御部２０５は、検出部２０１により入出庫が検出された場合、予約状況に基づいて、通信部２０２をスリープ状態にする。なお、予約特定部２０４から予約が存在する旨の通知を受信した場合、通信部２０２をスリープ状態にしない。
【００３０】
続いて、「過去の利用実績により制御する方法」について説明する。前提として、所定期間入出庫が無い状態である等により、通信部２０２がスリープ状態であるものとする。この状態において、検出部２０１から駐車していた車両が出庫した旨を取得する。このときに、通信制御部２０５は、通信部２０２をアクティブ状態に変更させて、通信部２０２に当該出庫した旨の情報を駐車場管理サーバ１００へ送信させる。通信制御部２０５は、履歴取得部２０３が記憶している履歴情報に基づいて、通信部２０２をスリープ状態にする。例えば、通信制御部２０５は、履歴取得部２０３で記憶されている履歴情報を参照して、入出庫が過去に少ない時間帯であれば（例えば、入出庫が頻度閾値以下である場合）、スリープ状態にする。すなわち、通信制御部２０５は、検出部２０１により入出庫が検出された場合、履歴取得部２０３により取得された履歴情報から特定した時間帯別の入出庫度合いに基づいて、通信部２０２をスリープ状態にする。
【００３１】
なお、通信制御部２０５は、履歴情報に基づいて、通信部２０２をスリープ状態にする際に、入出庫の頻度が高い場合にスリープ状態にして、入出庫の頻度が低い場合に、入出庫の頻度が高い場合と比較して短い時間スリープ状態にするようにしてもよい。また、履歴情報として、時間帯別の各車両の平均駐車時間も取得していた場合、通信制御部２０５は、当該平均駐車時間に基づいて、スリープ状態にするようにしてもよい。例えば、通信制御部２０５は、平均駐車時間分スリープ状態にするようにしてもよい。
【００３２】
通信制御部２０５は、スリープ状態であるときに、検出部２０１から入出庫されたことが検出された場合、通信部２０２をアクティブ状態にさせる。バッテリ２０６は、ＧＷ装置２００に電力を供給する部分である。
【００３３】
続いて、図３に本実施形態に係るＧＷ装置２００のハードウェア構成を示す。ＧＷ装置２００の機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００３４】
例えば、本発明の一実施の形態におけるＧＷ装置２００などは、駐車場管理サーバ１００と通信するコンピュータとして機能してもよい。上述のＧＷ装置２００は、物理的には、プロセッサ２１、メモリ２２、ストレージ２３、通信モジュール２４、及びバッテリ２０６などを含むコンピュータ装置として構成されてもよい。
【００３５】
なお、以下の説明では、「装置」という文言は、回路、デバイス、ユニットなどに読み替えることができる。ＧＷ装置２００のハードウェア構成は、図に示した各装置を１つ又は複数含むように構成されてもよいし、一部の装置を含まずに構成されてもよい。
【００３６】
ＧＷ装置２００における各機能は、プロセッサ２１、メモリ２２などのハードウェア上に所定のソフトウェア（プログラム）を読み込ませることで、プロセッサ２１が演算を行い、通信モジュール２４による通信や、メモリ２２及びストレージ２３におけるデータの読み出し及び／又は書き込みを制御することで実現される。
【００３７】
プロセッサ２１は、例えば、オペレーティングシステムを動作させてコンピュータ全体を制御する。プロセッサ２１は、周辺装置とのインターフェース、制御装置、演算装置、レジスタなどを含む中央処理装置（ＣＰＵ：Central  Processing  Unit）で構成されてもよい。例えば、上述の履歴取得部２０３及び予約特定部２０４などは、プロセッサ２１で実現されてもよい。
【００３８】
また、プロセッサ２１は、プログラム（プログラムコード）、ソフトウェアモジュールやデータを、ストレージ２３及び／又は通信モジュール２４からメモリ２２に読み出し、これらに従って各種の処理を実行する。プログラムとしては、上述の実施の形態で説明した動作の少なくとも一部をコンピュータに実行させるプログラムが用いられる。例えば、ＧＷ装置２００は、メモリ２２に格納され、プロセッサ２１で動作する制御プログラムによって実現されてもよく、他の機能ブロックについても同様に実現されてもよい。上述の各種処理は、１つのプロセッサ２１で実行される旨を説明してきたが、２以上のプロセッサ２１により同時又は逐次に実行されてもよい。プロセッサ２１は、１以上のチップで実装されてもよい。なお、プログラムは、電気通信回線を介してネットワークから送信されてもよい。
【００３９】
メモリ２２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ２２は、レジスタ、キャッシュ、メインメモリ（主記憶装置）などと呼ばれてもよい。メモリ２２は、本発明の一実施の形態に係る無線通信方法を実施するために実行可能なプログラム（プログラムコード）、ソフトウェアモジュールなどを保存することができる。
【００４０】
ストレージ２３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ２３は、補助記憶装置と呼ばれてもよい。上述の記憶媒体は、例えば、メモリ２２及び／又はストレージ２３を含むデータベース、サーバその他の適切な媒体であってもよい。
【００４１】
通信モジュール２４は、有線及び／又は無線ネットワークを介してコンピュータ間の通信を行うためのハードウェア（送受信デバイス）であり、例えばネットワークデバイス、ネットワークコントローラ、ネットワークカードなどともいう。
【００４２】
また、プロセッサ２１やメモリ２２などの各装置は、情報を通信するためのバス２５で接続される。バス２５は、単一のバスで構成されてもよいし、装置間で異なるバスで構成されてもよい。
【００４３】
また、ＧＷ装置２００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ２１は、これらのハードウェアの少なくとも１つで実装されてもよい。以上が、本実施形態に係るＧＷ装置２００の構成である。
【００４４】
続いて、図４〜６のフローチャートを用いて、本実施形態に係る処理を説明する。まず、「直近の利用状態により制御する方法」の処理手順を説明する。前提として、所定期間入出庫が無い状態であることにより、通信部２０２がスリープ状態であるものとする（ステップＳ１）。この状態において、検出部２０１から駐車していた車両が出庫した旨を取得した場合（ステップＳ２：ＹＥＳ）、通信制御部２０５は、通信部２０２をアクティブ状態に変更させて、通信部２０２に当該出庫した旨の情報を駐車場管理サーバ１００へ送信させる（ステップＳ３）。一方、検出部２０１から駐車していた車両が出庫した旨を取得しなかった場合（ステップＳ２：ＮＯ）、ステップＳ１へ移動する。アクティブ状態に変更させてから、所定期間経過するまでに検出部２０１から入出庫した旨の情報を取得した場合（ステップＳ４：ＮＯ）、ステップＳ１へ移動し、通信制御部２０５は、通信部２０２をスリープ状態にする。一方、アクティブ状態に変更させてから、所定期間経過するまでに検出部２０１から入出庫した旨の情報を取得した場合（ステップＳ４：ＹＥＳ）、ステップＳ３へ移動する。なお、ステップＳ３へ移動した際に、経過時間をリセットして、ステップＳ４の処理を再度行う。
【００４５】
続いて、図５を用いて、「予約状況により制御する方法」の処理手順を説明する。ステップＳ１１〜ステップＳ１３は、図４に示したフローチャートのステップＳ１〜ステップＳ３とそれぞれ同様の処理のため、説明を省略する。予約情報がある場合（ステップＳ１４：ＮＯ）、ステップＳ１へ移動し、通信制御部２０５は、通信部２０２をスリープ状態にする。一方、予約情報が無い場合（ステップＳ１４：ＹＥＳ）、ステップＳ１３へ移動する。予約特定部２０４から予約が存在する旨の通知を受信した場合、ここでいう予約情報がある場合に該当する。
【００４６】
続いて、図６を用いて、「過去の利用実績により制御する方法」の処理手順を説明する。前提として、所定期間入出庫が無い状態であることにより、通信部２０２がスリープ状態であるものとする（ステップＳ２１）。この状態において、検出部２０１から駐車していた車両が出庫した旨を取得した場合（ステップＳ２２：ＹＥＳ）、通信制御部２０５は、通信部２０２をアクティブ状態に変更させて、通信部２０２に当該出庫した旨の情報を駐車場管理サーバ１００へ送信させる（ステップＳ２３）。一方、検出部２０１から駐車していた車両が出庫した旨を取得しなかった場合（ステップＳ２２：ＮＯ）、ステップＳ２１へ移動する。履歴取得部２０３で記憶されている履歴情報を参照して、頻度閾値と比較して入出庫が過去に少ない時間帯であれば（ステップＳ２４：ＮＯ）、ステップＳ２１へ移動し、通信制御部２０５は、通信部２０２をスリープ状態にする。一方、履歴取得部２０３で記憶されている履歴情報を参照して、頻度閾値と比較して入出庫が過去に多い時間帯であれば（ステップＳ２４：ＹＥＳ）、ステップＳ２３へ移動する。
【００４７】
上述したように、通信制御部２０５は、検出部２０１により入出庫が検出されてから所定期間、検出部２０１によりさらに入出庫が検出されなかったとき、通信部２０２をスリープ状態にする。このように、ＧＷ装置２００は、入出庫を検出してから所定期間経ってもさらに入出庫がなされないような、駐車場管理サーバ１００と通信する必要性が低いときに、通信部２０２をスリープ状態にさせることができる。よって、ＧＷ装置２００は、常時アクティブ状態とする場合と比較して、省電力運用ができると共に、入出庫の頻度が高いタイミングで、スリープ状態にしてしまうことを回避することができる。すなわち、ＧＷ装置２００は、ＧＷ装置２００のスリープ状態とアクティブ状態の変更頻度を、通信装置の省電力化とネットワーク側の負荷軽減の観点で最適化することができる。この結果、ＧＷ装置２００のバッテリ交換の頻度を下げることができる。
【００４８】
また、通信制御部２０５は、履歴取得部２０３により取得された履歴情報に基づいて、上記所定期間を決定する。この場合、ＧＷ装置２００は、入出庫の履歴情報に基づいて、通信部２０２をスリープ状態にするタイミングを制御することにより、上記の所定期間を履歴情報により調整することができるので、より一層省電力運用ができる。
【００４９】
また、通信制御部２０５は、検出部２０１により入出庫が検出された場合、予約特定部２０４により予約情報が無いと特定された場合、通信部２０２をスリープ状態にする。この場合、ＧＷ装置２００は、入出庫を検出した際に、予約が発生していないような、駐車場管理サーバ１００と通信する必要性が低いときに、通信部２０２をスリープ状態にさせることができる。よって、ＧＷ装置２００は、常時アクティブ状態とする場合と比較して、省電力運用ができると共に、入出庫の頻度が高いタイミングで、スリープ状態にしてしまうことを回避することができる。すなわち、ＧＷ装置２００は、ＧＷ装置２００のスリープ状態とアクティブ状態の変更頻度を、通信装置の省電力化とネットワーク側の負荷軽減の観点で最適化することができる。この結果、ＧＷ装置２００のバッテリ交換の頻度を下げることができる。
【００５０】
また、通信制御部２０５は、検出部２０１により入出庫が検出された場合、履歴情報から特定した時間帯別の入出庫度合いに基づいて、通信部２０２をスリープ状態にする。このように、ＧＷ装置２００は、入出庫を検出してから、履歴情報に基づいて入出庫の発生する可能性が低い時間帯に通信部２０２をスリープ状態にさせることができる。よって、ＧＷ装置２００は、常時アクティブ状態とする場合と比較して、省電力運用ができると共に、入出庫の頻度が高いタイミングで、スリープ状態にしてしまうことを回避することができる。すなわち、ＧＷ装置２００は、ＧＷ装置２００のスリープ状態とアクティブ状態の変更頻度を、通信装置の省電力化とネットワーク側の負荷軽減の観点で最適化することができる。この結果、ＧＷ装置２００のバッテリ交換の頻度を下げることができる。
【００５１】
また、通信制御部２０５は、通信部２０２をスリープ状態にしているときに、検出部２０１により入出庫が検出された場合、通信部２０２をアクティブ状態にする。この場合、ＧＷ装置２００は、駐車場管理サーバ１００と通信することが必要となるタイミングで通信部２０２をアクティブ状態にするので、通信装置のスリープ状態とアクティブ状態の通信頻度を最適化することができる。
【００５２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００５３】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRCConnection Reconfiguration）メッセージなどであってもよい。
【００５４】
また、本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００５５】
また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００５６】
情報等は、上位レイヤ(または下位レイヤ)から下位レイヤ(または上位レイヤ)へ出力され得る。複数のネットワークノードを介して入出力されてもよい。
【００５７】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は削除されてもよい。入力された情報等は他の装置へ送信されてもよい。
【００５８】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００５９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６０】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００６１】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００６２】
なお、本明細書で説明した用語及び／又は本明細書の理解に必要な用語については、同一の又は類似する意味を有する用語と置き換えてもよい。
【００６３】
本明細書で使用する「システム」および「ネットワーク」という用語は、互換的に使用される。
【００６４】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００６５】
また、本明細書で使用する「決定(determining)」という用語は、多種多様な動作を包含する。「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「決定」したとみなす事などを含み得る。また、「決定」は、受信(receiving)（例えば、情報を受信すること）、送信(transmitting)（例えば、情報を送信すること）、入力(input)、出力(output)、アクセス(accessing)（例えば、メモリ中のデータにアクセスすること）した事を「決定」したとみなす事などを含み得る。また、「決定」は、解決(resolving)、選択(selecting)、選定(choosing)、確立(establishing)、比較(comparing)などした事を「決定」したとみなす事を含み得る。つまり、「決定」は、何らかの動作を「決定」したとみなす事を含み得る。
【００６６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００６７】
本開示の全体において、明らかに単数であることを示しているものではない限り、単数および複数の両方のものを含むものとする。
【符号の説明】
【００６８】
２１…プロセッサ、２２…メモリ、２３…ストレージ、２４…通信モジュール、１００…駐車場管理サーバ、２００…ＧＷ装置、２０１…検出部、２０２…通信部、２０３…履歴取得部、２０４…予約特定部、２０５…通信制御部、２０６…バッテリ、３００…センサ装置。
【図１】
2018112813.tif 000003
【図２】
2018112813.tif 000004
【図３】
2018112813.tif 000005
【図４】
2018112813.tif 000006
【図５】
2018112813.tif 000007
【図６】
2018112813.tif 000008